(57)【要約】【課題】発光表示部が円環状のものにおいて、発光源の数や輝度を増すことなく視認性を向上させることのできる表示灯を得る。【解決手段】本発明に係る表示灯１は、壁面５に取り付けられて防災機器としての発信機３の位置を表示する表示灯であって、発光源である発光素子１５を収容する外周壁部７と、発光素子１５が発光する光を透光させて光る発光表示部１１とを有し、発光表示部１１は、リング状に形成されており、その両サイド部が上下部よりも明るく光るように、発光素子１５の配置が設定されていることを特徴とするものである。【選択図】  図１
2015194999.tif 000002
【特許請求の範囲】
【請求項１】
取付面に取り付けられて防災機器の位置を表示する表示灯であって、
発光源を収容する本体部と、前記発光源が発光する光を透光させて光る発光表示部とを有し、
前記発光表示部は、リング状に形成されており、その両サイド部が上下部よりも明るく光るように、前記発光源の配置及び／又は輝度が設定されていることを特徴とする表示灯。
【請求項２】
両サイドに配置された前記発光源が他の発光源よりも前記発光表示部に最も近くなるように配置されていることを特徴とする請求項１記載の表示灯。
【請求項３】
前記発光表示部には前記発光源の間接光が入射するように構成されていることを特徴とする請求項１又は２記載の表示灯。
【請求項４】
前記発光表示部は、リングの内側かつ奥側に向かって傾斜する傾斜面を備えてなり、
前記発光表示部における前記傾斜面が前記取付面より突出しないように設置されることを特徴とする請求項１乃至３のいずれか一項に記載の表示灯。
【請求項５】
前記本体部の外周及び背面側を覆う不透光性のカバー体を設けたことを特徴とする請求項１乃至４のいずれか一項に記載の表示灯。
【発明の詳細な説明】
【技術分野】
【０００１】
本発明は、例えば消火栓箱、総合盤等の機器収納箱に取り付けられる発信機等の防災機器の位置を表示する表示灯に関する。
【背景技術】
【０００２】
表示灯の一例として、例えば特許文献１（意匠登録第１４６０５５８号公報）には、「中央部に発信機を取り付けるための略矩形状の開口を有し、赤色に着色された半透明部材から成る環状の表示灯本体と、表示灯本体に着脱自在に螺着され、表示灯本体を消火栓格納箱等へ取り付けるための環状の取り付け部材と、表示灯本体と取り付け部材との間に挟持固定され、発光ダイオード（ＬＥＤランプ）を等角度ごとに取り付けた環状の基板とから構成されており、表示灯本体の環状空間に配置された発光ダイオードの光を正面及び周囲に環状に放射するようにしたもの」（特許文献１における意匠に係る物品の説明）が開示されている。
【０００３】
上記の表示灯においては、環状に発光させることによって視認性の向上を図れ、また、その中央部に発信機を取り付けられるため、表示灯と発信機を別々の位置に設置していたものに比較して設置に必要な面積を小さくすることができるとしている。
【先行技術文献】
【特許文献】
【０００４】
【特許文献１】意匠登録第１４６０５５８号公報
【発明の概要】
【発明が解決しようとする課題】
【０００５】
特許文献１に開示された表示灯は、発光ダイオードを等間隔で多数配置して環状の発光表示部を光らせることで視認性を向上させてようとしている。特許文献１に開示されたものを含め、従来の表示灯においては視認性を向上するために発光ダイオードの数を増やして発光表示部の明るさ（輝度）を増すことを主眼としている。
しかしながら、特許文献１に記載の表示灯のように、発光表示部が細い円環状のものの場合、輝度を増すだけでは視認性が向上するとは限らない。また、消防設備は多数の端末が接続されるため、使用できる電流に限りがあり、当該設備に流す電流を増やすことが難しいという現状がある。そのような制限があるため、表示灯の発光ダイオードの数を増やしても、各ＬＥＤの明るさが小さくなるだけであり、視認性が向上するわけではない。
【０００６】
本発明はかかる問題点を解決するためになされたものであり、発光表示部が円環状のものにおいて、発光源の数や輝度を増すことなく視認性を向上させることのできる表示灯を得ることを目的としている。
【課題を解決するための手段】
【０００７】
発明者は、単に輝度を増すのではなく視認性を向上させることができないかについて検討したところ、例えばランプが点滅する場合には、視認性が向上することに着目し、発光表示部に変化を与える、換言すれば発光表示部の表情に変化を与えることで視認性が増すのではないかと考えた。
本発明はかかる考えに基づくものであり、具体的には以下の構成からなるものである。
【０００８】
（１）本発明に係る表示灯は、取付面に取り付けられて防災機器の位置を表示する表示灯であって、
発光源を収容する本体部と、前記発光源が発光する光を透光させて光る発光表示部とを有し、
前記発光表示部は、リング状に形成されており、その両サイド部が上下部よりも明るく光るように、前記発光源の配置及び／又は輝度が設定されていることを特徴とするものである。
【０００９】
（２）また、上記（１）に記載のものにおいて、両サイドに配置された前記発光源が他の発光源よりも前記発光表示部に最も近くなるように配置されていることを特徴とするものである。
【００１０】
（３）また、上記（１）又は（２）に記載のものにおいて、前記発光表示部には前記発光源の間接光が入射するように構成されていることを特徴とするものである。
【００１１】
（４）また、上記（１）乃至（３）のいずれかに記載のものにおいて、前記発光表示部は、リングの内側かつ奥側に向かって傾斜する傾斜面を備えてなり、
前記発光表示部における前記傾斜面が前記取付面より突出しないように設置されることを特徴とするものである。
【００１２】
（５）また、上記（１）乃至（４）のいずれか一項に記載のものにおいて、前記本体部の外周及び背面側を覆う不透光性のカバー体を設けたことを特徴とするものである。
【発明の効果】
【００１３】
本発明においては、発光表示部は、リング状に形成されており、その両サイド部が上下部よりも明るく光るように、発光源の配置及び／又は輝度が設定されていることにより、表示灯を取付面に沿った斜めから見たときにも、表示灯を確実に視認できる。また、発光表示部は両サイドが上下よりもより明るく光るので、リング状の発光表示部の光り方に変化があるため、人が移動しながら表示灯を見ると、視線の位置が変わることで、表示灯を見る角度が変化していき、それに伴って、視認できる発光表示部の両サイド及び上下面の面積が変化するので、表示灯の見え方が変わり、より視認性が高まる。
【図面の簡単な説明】
【００１４】
【図１】本発明の一実施の形態に係る表示灯の分解斜視図である。
【図２】本発明の実施の形態に係る表示灯の正面図である。
【図３】図２のＡ−Ａ矢視断面図である。
【図４】本発明の実施の形態に係る表示灯の反射板の効果を説明する説明図である（その１）。
【図５】本発明の実施の形態に係る表示灯の反射板の効果を説明する説明図である（その２）。
【図６】本発明の実施の形態に係る表示灯に格納される発信機の斜視図である。
【図７】本発明の実施の形態に係る表示灯に発信機を格納して取付面へ取り付けた状態を説明する斜視図である。
【図８】本発明の実施の形態に係る表示灯の使用状態における正面図である。
【図９】本発明の実施の形態に係る表示灯の他の態様の説明図であって、表示灯の取付面への取付状態における表示灯の中央を通る縦断面図である。
【図１０】本発明の実施の形態２に係る表示灯の分解斜視図である。
【図１１】本発明の実施の形態２に係る表示灯の断面図である。
【図１２】本発明の実施の形態３に係る表示灯の取付状態を示す斜視図である。
【図１３】本発明の実施の形態３に係る表示灯の断面図である。
【図１４】本発明の実施の形態４に係る表示灯の取付状態を示す斜視図である。
【図１５】本発明の実施の形態４に係る表示灯の断面図である。
【発明を実施するための形態】
【００１５】
［実施の形態１］
本実施の形態では、取付面としての消火栓設備の筐体等の壁面５に取り付けられ、発信機３（図６及び図７参照）を収納する表示灯１を例に挙げる。
そして、以下においては、まず表示灯１の各構成について図１〜図５に基づいて適宜他の図を参照しながら詳細に説明し、その後表示灯１に収納する発信機３について説明する。
なお、以下の説明では、表示灯１を壁面５に取り付けた状態で壁面５の手前側を前と言い、壁面５の奥側を奥、後という。
【００１６】
〔表示灯〕
表示灯１は、図１に示すように、略円筒体からなる外周壁部７と、外周壁部７の前端側の外周面から外方に張り出すフランジ状からなる取付部９と、外周壁部７の前端側の内側にリング状に形成された発光表示部１１と、発光表示部１１に連続して外周壁７の内側に形成された発信機収容部１３とを有している。
そして、図３に示すように外周壁部７と、その内側に形成された発光表示部１１及び発信機収容部１３の周壁との間には空間部１４が形成され、この空間部１４に発光素子１５が搭載された基板１７が設置されている。
なお、本実施の形態における外周壁部７と発光表示部１１と発信機収容部１３とが本発明の本体部に相当するが、逆に本発明の本体部はこれらを全て備える必要はなく、発光源を収納する機能を有するものであれば形状は問わない。
【００１７】
＜外周壁部＞
外周壁部７は、透光性を有する樹脂製の部材によって略短円筒状に形成されている。
【００１８】
＜取付部＞
取付部９は、表示灯１を壁面５に取り付けるためのものであり、前述したように外周壁部７の前端側の外周面から外方に張り出す略正方形のフランジ状に形成されている。
取付部９の四隅には、図１および図２に示すように、表示灯１を壁面５に取り付けるためのネジ孔９ａが設けられている。
取付部９には、発光表示部１１の外周を縁取るリング状の立片部９ｂが設けられている。すなわち、発光表示部１１であるリング状の傾斜面の外周縁部にリング状の立片部９ｂが設けられている。立片部９ｂは、表示灯１が壁面５に取り付けられる際に、壁面５に設けられた開口部の縁に内側から当接して（図３参照）、表示灯１の位置決め（位置合せ）をする機能を有している。
【００１９】
＜発光表示部＞
発光表示部１１は、図１〜図３に示すように、取付部９の内周縁から内側かつ奥側に向かって傾斜するリング状に形成されている。なお、図２においては発光表示部１１を明確に示すために色付けをしている。
発光表示部１１は、図３に示すように、表示灯１の設置状態において壁面５より大きく突出しないようになっており、従来の一般的な膨出型の表示灯のように側方から物がぶつかって破損することがない。
発光表示部１１は、例えば赤色の透光性部材からなり、空間部１４に収容された発光素子１５（図３参照）からの光を透光させて明るく光るようになっている。発光表示部１１と発光素子１５の配置関係については後述する。
【００２０】
＜発信機収容部＞
発信機収容部１３は、図１及び図３に示すように、発光表示部１１の内周から内側かつ奥側に段形状に形成されており、段の底部が発信機３を取り付けるための発信機取付面部２１（図１及び図２参照）になっている。
【００２１】
発信機取付面部２１は、透光性部材で構成され中央が開口する平坦面からなり、両側に発信機３を取り付けるためのネジ孔２１ａが設けられている。
発信機取付面部２１には、発信機取付面部２１の全面を覆うように反射板２５が貼り付けられている。反射板２５を貼り付けることで、発光素子１５の光は反射板２５によって反射され、さらに基板１７の面等で乱反射して、間接光として発光表示部１１から外部に出射される。このように、反射板２５を貼り付けることで、発光表示部１１を間接光で光らせることができ、発光表示部１１を全体的に明るく光らせることができる。
【００２２】
この点について実例を挙げて、図４及び図５に基づいて説明する。図４は反射板２５を貼り付けずに発光素子１５を発光させている状態を示し、図５は図４に示すものに反射板２５を貼り付けた状態を示す。なお、図４において、発光素子１５のある箇所は白く表示されている。
図４に示すように、発光素子１５は発信機取付面部２１の背面側に配置されるため、発信機取付面部２１に反射板２５を貼り付けていない場合には、発光素子１５の光が反射することなく発信機取付面部２１を透過して、発光表示部１１を光らせるのに寄与しない。
他方、反射板２５を貼り付けた場合には、図５に示すように、反射板２５によって反射した光が間接光として発光表示部１１に入射して、発光表示部１１が全体的に明るく光り視認性が向上している。これによって、発光素子１５の数が少なくても必要な視認性が確保されるので、節電効果も得られている。
【００２３】
＜基板＞
基板１７は、図１に示すように、中央が開口した円板によって形成されており、基板１７の前面側には発光源としての発光素子１５が複数配置されている。
基板１７は、図３に示すように、前面側が発信機取付面部２１に対向するように取り付けられている。
このように基板１７が取り付けられることにより、発光素子１５は空間部１４内において発信機取付面部２１に対向するように配置される（図２参照）。
【００２４】
図２は、基板１７を取り付けた状態における表示灯１の正面図であり、基板１７上の発光素子１５を破線で示している。
発光素子１５は、基板１７の左右両端に最も近い位置にある発光素子１５が他の発光素子１５よりも発光表示部１１に最も近くなるように、即ち外周側に配置されている（図２参照）。図２の例では、左右両端の発光素子１５の一部が正面視で発光表示部１１にかかるようにして配置されている。
このように発光素子１５が配置されることで、発光表示部１１の両サイド部が上下部よりも明るく光るようになっている。そして、両サイド部と上下部に明度差ができることで、発光表示部が均一の明度で点灯する場合と比べて、視認性が高まる。
なお、発光表示部１１の両サイド部を上下部よりも明るく光らせるとは、両サイド部が上下部よりも相対的に明るいことを意味しており、両サイド部が絶対的に明るいことを意味するものではない。また、両サイド部とは、上下部と区別するための概念であり厳密に領域が特定されるものではない。
【００２５】
発信機３は一定の高さ（床面から８０〜１５０ｃｍ）に設けられることになっており、発信機３と一体的に設けられる表示灯１も同様の高さに設けられる。即ち、人の目線に近い位置に表示灯１が設けられることになる。そのような高さに設置される表示灯１が設置される壁面付近から、即ち浅い角度で表示灯１を見たとき、発光表示部１１は、手前側のサイドは見えず、奥側のサイドは必ず視認できる（図７参照）。従って、発光表示部１１の両サイドを明るく光らせることで、壁面５に表示灯１が取り付けられた状態で、表示灯１を壁面５に沿った斜めから見たときにも、表示灯１を確実に視認できるという効果がある。
また、発光表示部１１の両サイドが明るく光ることで、発光表示部１１の上下は相対的に暗くなり、発光表示部１１の光り方に変化がもたらされ、このことによっても視認性を向上している。
【００２６】
〔発信機〕
次に、上述した表示灯１の発信機収容部１３に収容される発信機３について図６及び図７に基づいて以下に説明する。
発信機３は、図６に示す通り、押下されると火災信号を発信する押ボタン３１と、円板状からなる押ボタン格納部３３と、押ボタン格納部３３の背面側に形成された発信機本体部３５とを有している。
【００２７】
押ボタン格納部３３には、押ボタン格納部３３の内部に設けられて送受話器が接続される電話ジャック（図示なし）を開閉自在に覆う電話ジャック用窓扉３３ａが設けられている。
発信機本体部３５は、箱状からなり内部に押ボタン３１に連動するスイッチ等（図示なし）を格納している。
【００２８】
図７に示すように、発信機３は表示灯１の発信機収容部１３に収容されると、発光表示部１１に囲まれるように、かつ、発光表示部１１の内周縁と略面一になるように配置される。この状態で、表示灯１の発光表示部１１が光ることで、発信機３の位置が表示される。
【００２９】
以上のように構成された表示灯１の使用状態（発信機３を収容して発光表示部１１を光らせた状態）における効果について図８に基づいて説明する。
表示灯１の発光表示部１１は、図８に示すように、通常時において明るく光っており発信機３（防災機器）の位置を表示している。
【００３０】
前述したように、発光表示部１１の両サイド部が上下部よりも明るく光るので、表示灯１を壁面５に沿った斜めから見たときにも、表示灯１を確実に視認できる。また、発光表示部１１は両サイドが上下よりもより明るくなっており、リング状の発光表示部１１の光り方に変化があるため、人が移動しながら表示灯１を見ると、視線の位置が変わることで、表示灯１を見る角度が変化していき、それに伴って、視認できる発光表示部１１の両サイド及び上下面の面積が変化する。これにより、表示灯１の見え方が変わり、より視認性が高まっている。
【００３１】
また、発光表示部１１は中心部に向かう傾斜面となっているので、図２に示すように正面側からの視認性に優れると共に、図７に示すように側方からの視認性にも優れている。
また、本例ではリング状の発光表示部１１のリング内に発信機３が設置されており、上記のような傾斜面となっていることから、発光表示部１１は発信機３の押ボタン３１を照らすことができ、暗所であっても発信機３の操作や、電話ジャックへの送受話器の接続作業が容易である。
また、表示灯１は壁面５から大きく突出する部分がなく、従来の一般的な膨出型の表示灯１のように側方から物がぶつかって破損することがない。
【００３２】
なお、上記の説明では、発光素子１５を、図３に示すように、表示灯１の正面に向けて配置した例を示したが、発光素子１５の配置はこれに限られない。例えば図９に示すように、発光素子１５を表示灯１の中心に向けて配置してもよく、このように配置することで、側方からの表示灯１の視認性を増すことができる。なお、図９において図３と同一のものには同一の符号を付している。
あるいは、発光素子１５を正面側に向けて配置する部分と、表示灯１の中心に向けて配置する部分とが混在するような配置であってもよい。もっとも何れの場合も、図３に示すものの場合と同様に両サイドに配置された発光素子１５が他の発光素子１５よりも発光表示部１１に最も近くなるように配置する。
【００３３】
また、上記の説明では、発光表示部１１の両サイドを上下よりも明るく光らせるために、両サイドに配置された発光素子１５が他の発光素子１５よりも発光表示部１１に最も近くなるように配置した例を示したが、発光表示部１１の両サイドを上下よりも明るく光らせるための他の方法として、例えば、各発光素子１５の発光表示部１１までの距離は均等にして、両サイド部の発光素子１５の輝度を上下部のものより高く設定するようにしてもよい。あるいは、発光素子１５の配置と輝度の両方を調整してもよい。
さらには、上下には発光素子１５を配置しないようにして、発光表示部１１の上下部が相対的に暗くなるようにしてもよい。
また、外周壁部７の外周面に、内周側に光を反射させるように反射材を貼付しても良い。そうすることで、発光素子１５から発光された光や、反射材に反射した光が、外周壁部７を透過して壁面５の裏側に抜けることがなく、発光表示部１１を効率良く発光させることができる。
また、発光表示部１１の上下面に反射材を貼付することで、上下面に向かってきた発光素子１５からの光も乱反射させ、上下面は光らせず、両サイドのみをより強く光らせることもできる。
【００３４】
また、発光表示部１１として円形リングの例を示したが、本発明の発光表示部１１はリング状であればよく円形リングに限られず、例えば矩形リング状であってもよいし、あるいは多角形リング状であってもよい。
【００３５】
発光表示部１１を構成する透光性部材は、赤色に限られない。発光表示部１１は無色透明な透光性部材で構成されても良い。この場合、発光素子１５を赤色のＬＥＤにすることで、発光表示部１１は赤く表示されることになる。
【００３６】
また上記の説明では、発光表示部１１のリングの内側に発信機収容部１３を設けて発信機３が収容されている例を示したが、発信機３は表示灯１の外部に設けるようにしてもよい。この場合、発光表示部１１のリングの内側には、発信機３に代えて発光表示部１１のリングの内側を覆う赤色の円板を設けてもよい。
このように本発明の表示灯は、発信機３と一体型の表示灯１として構成することもできるし、あるいは発信機３と別体型の表示灯として構成することもでき、これらを状況に応じて適宜選択することが可能である。
【００３７】
［実施の形態２］
図１０、図１１は本発明の実施の形態２の表示灯の説明図であり、実施の形態１と同一部分には同一の符号を付してある。
本発明の実施の形態２に係る表示灯３７は、図１０、図１１に示すように、円筒状の外周壁部７をその背面側から覆うように外周壁部７に嵌め込むことのできるカバー体３９を設けたものである。カバー体３９は、光を反射する不透光性の部材（例えば、白色の樹脂）からなり、外周壁部７に嵌合できる円筒部３９ａと、円筒部３９ａの前方端に外方に張り出すように設けられたフランジ部３９ｂと、円筒部３９ａの後端に位置する底部３９ｃとを備えている。底部３９ｃは、発信機本体部３５が挿入される開口部を有している。
【００３８】
カバー体３９を設けることで、図１１に示すように、外周壁部７や外周壁部７の後端開口が光を反射する部材で覆われ、発光素子１５から発光された光や、カバー体３９で反射した光が、外周壁部７を透過して壁面５の裏側に抜けることがなく、発光表示部１１を効率良く発光させることができ、視認性を向上することができる。
また、カバー体３９を設けない場合、表示灯３７が設けられる総合盤等の機器収納箱の内部が発光してしまい、機器収納箱の蓋の周縁部が発光してしまうので、カバー体３９は意匠性も向上させている。一方、カバー体３９は表示灯３７に対して着脱自在に設けられるため、保守点検時において、表示灯３７の奥側にあたる機器収納箱の内部を点検したい場合、表示灯３７からカバー体３９を取り外すことで、表示灯３７の発光素子１５の発光により機器収納箱内を照射するので、保守点検が行いやすくなる。
カバー体３９を設けることで視認性を向上できるので、発光素子１５の配置は、かならずしも実施の形態１のようにする必要がないが、実施の形態１と同様の配置にすることで、相乗効果として視認性が向上する。
【００３９】
なお、図１０に示すように、発信機３の押ボタン格納部３３の表面カバーの周縁に面取り部３３ｂを設けるようにしてもよい。このようにすれば、発光表示部１１が光ったときに面取り部３３ｂで光が反射して、当該部位が明るく照らされることで、より視認性が向上する。
【００４０】
［実施の形態３］
図１２、図１３は本発明の実施の形態３の表示灯４１の説明図であり、実施の形態１と同一部分には同一の符号を付してある。
本実施の形態３に係る表示灯４１は、取付面としての壁面５に取り付けられて防災機器の位置を表示する表示灯であって、外周壁部７と発信機収容部１３を有し、発光源としての発光素子１５を収容する本体部４３と、発光素子１５が発光する光を透光させて光る発光表示部４５とを有し、発光表示部４５はリング状に形成されると共に、立片部９ｂから奥側に向かって垂下する垂下面となっており、かつリング状の発光表示部４５に囲まれた部位（正面視における発光表示部４５の内周側）に発信機３が配置され、その前面部が発光表示部４５よりも奥側に位置するようになっている。
なお、発光表示部４５の垂下面と発信機収容部１３の内壁は、奥側に向かって連続する壁面（垂下面）で構成されている。したがって、表示灯４１に発信機３を収容した場合において、発信機３の表面カバーの前面より前方の壁面（垂下面）が発光表示部４５となり、発信機３の押ボタン格納部３３の側面に対向する壁面（垂下面）が発信機収容部１３の内壁となる。
【００４１】
実施の形態１においては、発光表示部１１を奥側に傾斜する傾斜面としていたが、本実施の形態３では、発光表示部４５を、図１２、図１３に示すように、立片部９ｂから奥側に向かって垂下する垂下面としたものである。
発光表示部４５が傾斜していない垂下面であっても、図１２、図１３に示すように、発信機３を収納した状態で、発信機３の押ボタン格納部３３の厚みよりも垂下面の深さが深くなるように設定しているので、発信機３の押ボタン格納部３３の前面が発光表示部４５よりも奥側に配置され垂下面の上部が露出する。このため、発光素子１５が点灯したときに垂下面が光り、表示灯３７を斜めから見たときにも発信機３に遮られることなく発光表示部４５を視認でき、発光表示部４５を確実に視認することができる。
【００４２】
また、壁面５に設置した状態では、図１２に示すように、発信機３の押ボタン格納部３３が奥に配置されるので、斜めから表示灯４１を見たときには、見る人がいる側とは反対側の発光表示部４５を視認することができる。この点、特許文献１（意匠登録第１４６０５５８号公報）のものでは、環状の表示灯本体よりも環状の内側に配置された発信機の前面が突出しているので、見る人がいる側の側面のみが見えることとなり、見え方が異なっている。
【００４３】
本実施の形態の表示灯４１においては、発信機３の押ボタン格納部３３の前面が発光表示部４５よりも奥側に配置され垂下面の上部が露出するようにしているので、発光表示部４５が奥側に向かって垂下する形状であっても、発光表示部４５を確実に視認することができる。発光表示部４５を奥側に垂下する垂下面としたことで、発光表示部４５が壁面５の方向に広がることがなく、全体形状をコンパクトにでき、かつ視認性の確保もできる。
このように本実施の形態３の表示灯４１は視認性に優れるので、発光素子１５の配置は、かならずしも実施の形態１のようにする必要がないが、実施の形態１と同様の配置にすることで、相乗効果として視認性が向上する。
【００４４】
なお、表示灯４１を壁面５に設置する際には、発光表示部４５における垂下面が壁面５より突出しないように設置するのが好ましい。
【００４５】
［実施の形態４］
図１４、図１５は本発明の実施の形態３の表示灯の説明図であり、実施の形態１乃至３と同一部分には同一の符号を付してある。
本実施の形態４に係る表示灯４６は、取付面となる壁面５に取り付けられて防災機器の位置を表示する表示灯であって、
外周壁部７と発信機収容部１３を有し、発光源としての発光素子１５を収容する本体部４３と、発光素子１５が発光する光を透光させて光る発光表示部４７とを有し、発光表示部４７は壁面５と平行な平面部４７ａを有するリング状に形成されており、かつリング状の発光表示部４７に囲まれた部位（正面視における発光表示部４７の内周側）に発信機３が配置され、その前面が発光表示部４７よりも奥側に位置するようになっている。
【００４６】
実施の形態１との関係では、実施の形態１において、壁面５の開口に取り付ける際に位置決めのために設けているリング状の立片部９ｂの幅を広くすることで、発光表示部として機能するようにしたものである。別の観点からは、実施の形態１における傾斜面を発信機取付面部２１又は壁面５と平行な平面にしたということもできる。
【００４７】
なお、図１５に示すように、発信機３を収納した状態で、発信機３の押ボタン格納部３３の厚みよりも垂下面の深さを深く設定すれば、平面部４７ａに加えて垂下面の上部４７ｂも光らせることができ、視認性をより高めることができる。
また、垂下面の上部４７ｂ（手前側）を実施の形態１と同様に傾斜面にしてもよい。即ち、発光表示部が、奥側かつ発光表示部の内周側に向かって傾斜する傾斜面を有するようにしてもよい。
また、発信機３の押ボタン格納部３３の厚みよりも垂下面の深さをほぼ等しく設定しても良い。その場合、壁面５、発信機３の前面カバーおよび発光表示部４７の平面部４７ａがほぼ面一となり、視認性を確保しつつ、美観性を高めることができる。
【００４８】
本実施の形態の表示灯４６においては、発光表示部４７が壁面５とほぼ面一となる平面部４７ａを有すると共に、発信機３の押ボタン格納部３３の前面が発光表示部４７よりも奥側に配置されるようにしたので、表示灯４６を斜めから見たときに、リング状の発光表示部４７の全周を見ることができ、視認性に優れている。
このように本実施の形態４の表示灯４６は視認性に優れるので、発光素子１５の配置は、かならずしも実施の形態１のようにする必要がないが、実施の形態１と同様の配置にすることで、相乗効果として視認性が向上する。
【００４９】
なお、実施の形態２で示したカバー体を実施の形態３，４の表示灯４１、４６に装着するようにしてもよいことは言うまでもない。
【符号の説明】
【００５０】
１  表示灯（実施の形態１）
３  発信機
５  壁面
７  外周壁部
９  取付部
９ａ  ネジ孔
９ｂ  立片部
１１  発光表示部
１３  発信機収容部
１４  空間部
１５  発光素子
１７  基板
２１  発信機取付面部
２１ａ  ネジ孔
２５  反射板
３１  押ボタン
３３  押ボタン格納部
３３ａ  電話ジャック用窓扉
３３ｂ  面取り部
３５  発信機本体部
３７  表示灯（実施の形態２）
３９  カバー体
３９ａ  円筒部
３９ｂ  フランジ部
３９ｃ  底部
４１  表示灯（実施の形態３）
４３  本体部
４５  発光表示部（実施の形態３）
４６  表示灯（実施の形態４）
４７  発光表示部（実施の形態４）
４７ａ  平面部
４７ｂ  垂下面の上部
【図３】
2015194999.tif 000003
【図６】
2015194999.tif 000004
【図７】
2015194999.tif 000005
【図９】
2015194999.tif 000006
【図１０】
2015194999.tif 000007
【図１１】
2015194999.tif 000008
【図１２】
2015194999.tif 000009
【図１３】
2015194999.tif 000010
【図１４】
2015194999.tif 000011
【図１５】
2015194999.tif 000012
【図１】
2015194999.tif 000013
【図２】
2015194999.tif 000014
【図４】
2015194999.tif 000015
【図５】
2015194999.tif 000016
【図８】
2015194999.tif 000017
【手続補正書】
【提出日】平成27年3月27日(2015.3.27)
【手続補正１】
【補正対象書類名】特許請求の範囲
【補正対象項目名】全文
【補正方法】変更
【補正の内容】
【特許請求の範囲】
【請求項１】
取付面に取り付けられて防災機器の位置を表示する表示灯であって、
発光源を収容する本体部と、前記発光源が発光する光を透光させて光る発光表示部とを有し、
前記発光表示部（リングを左右に２分割した分割表示部を除く）は、リング状に形成されておりその両サイド部が上下部よりも明るく光るように、前記発光源の配置及び／又は輝度が設定されていることを特徴とする表示灯。
【請求項２】
取付面に取り付けられて防災機器の位置を表示する表示灯であって、
発光源を収容する本体部と、前記発光源が発光する光を透光させて光る発光表示部とを有し、
前記発光表示部は、リング状に形成されており、その両サイド部が上下部よりも明るく光るように、前記発光源の配置及び／又は輝度が設定されており、
両サイドに配置された前記発光源が他の発光源よりも前記発光表示部に最も近くなるように配置されていることを特徴とする表示灯。
【請求項３】
取付面に取り付けられて防災機器の位置を表示する表示灯であって、
発光源を収容する本体部と、前記発光源が発光する光を透光させて光る発光表示部とを有し、
前記発光表示部は、リング状に形成されており、その両サイド部が上下部よりも明るく光るように、前記発光源の配置及び／又は輝度が設定されており、
前記発光表示部には前記発光源の間接光が入射するように構成されていることを特徴とする表示灯。
【請求項４】
取付面に取り付けられて防災機器の位置を表示する表示灯であって、
発光源を収容する本体部と、前記発光源が発光する光を透光させて光る発光表示部とを有し、
前記発光表示部は、リング状に形成されており、その両サイド部が上下部よりも明るく光るように、前記発光源の配置及び／又は輝度が設定されており、
前記発光表示部は、リングの内側かつ奥側に向かって傾斜する傾斜面を備えてなり、
前記発光表示部における前記傾斜面が前記取付面より突出しないように設置されることを特徴とする表示灯。
【請求項５】
取付面に取り付けられて防災機器の位置を表示する表示灯であって、
発光源を収容する本体部と、前記発光源が発光する光を透光させて光る発光表示部とを有し、
前記発光表示部は、リング状に形成されており、その両サイド部が上下部よりも明るく光るように、前記発光源の配置及び／又は輝度が設定されており、
前記本体部の外周及び背面側を覆う不透光性のカバー体を設けたことを特徴とする表示灯。
【請求項６】
取付面に取り付けられて防災機器の位置を表示する表示灯であって、
発光源を収容する本体部と、前記発光源が発光する光を透光させて光る発光表示部とを有し、
前記発光表示部は、リング状に形成されており、その両サイド部が上下部よりも明るく光るように、前記発光源の配置及び／又は輝度が設定されており、
前記発光表示部の内側かつ奥側に段形状に形成された発信機収容部を備えていることを特徴とする表示灯。
【手続補正２】
【補正対象書類名】明細書
【補正対象項目名】００１２
【補正方法】変更
【補正の内容】
【００１２】
（５）また、上記（１）乃至（４）のいずれか一項に記載のものにおいて、前記本体部の外周及び背面側を覆う不透光性のカバー体を設けたことを特徴とするものである。
（６）また、本発明に係る表示灯は、取付面に取り付けられて防災機器の位置を表示する表示灯であって、
発光源を収容する本体部と、前記発光源が発光する光を透光させて光る発光表示部とを有し、
前記発光表示部は、リング状に形成されており、その両サイド部が上下部よりも明るく光るように、前記発光源の配置及び／又は輝度が設定されており、
前記発光表示部の内側かつ奥側に段形状に形成された発信機収容部を備えていることを特徴とするものである。